(57)【要約】【課題】  原稿が給送される原稿台上に付着する異物を容易で確実に回収して除去することによって、軽量で小型の低コストで簡単な装置で縦筋のある欠落画像の異常画像の発生を確実に防止して高品質の読取画像を形成する原稿画像読取装置、及び、その原稿画像読取装置を具備する画像形成装置を提供する。【解決手段】  載置された原稿（Ｐ）を給送する原稿給送手段１と、原稿給送手段１から給送される原稿（Ｐ）を原稿画像面の読み取りが行われる原稿画像面読取部２に案内する案内手段３と、案内手段３で案内される原稿（Ｐ）の原稿画像面を読み取る原稿画像面読取部２に配置されて回動可能に保持された透明部材からなる断面形状が多角形状の原稿台４と、原稿台４の原稿台本体４ａの外周面４ｂの読取り面４ｂ１上を通過する原稿（Ｐ）の原稿画像面を読み取る原稿画像面読取手段５とからなる。【選択図】  図１
2005167375.tif 000002
【特許請求の範囲】
【請求項１】
給送される原稿の原稿画像を読み取る原稿画像読取装置において、載置された原稿を給送する原稿給送手段と、上記原稿給送手段から給送される原稿を原稿画像面の読み取りが行われる原稿画像面読取部に案内する案内手段と、上記案内手段で案内される原稿の原稿画像面を読み取る上記原稿画像面読取部に配置されて回動可能に保持された透明部材からなる断面形状が多角形状の原稿台と、上記原稿台の原稿台本体の外周面の読取り面上を通過する原稿の原稿画像面を読み取る原稿画像面読取手段とからなることを特徴とする原稿画像読取装置。
【請求項２】
請求項１に記載の原稿画像読取装置において、原稿台本体は、断面形状を４角以上の正偶数角形状であることを特徴とする原稿画像読取装置。
【請求項３】
請求項１又は２に記載の原稿画像読取装置において、原稿台本体は、原稿台本体駆動源によって断面中心を回動中心として回動駆動されることを特徴とする原稿画像読取装置。
【請求項４】
請求項１、２又は３に記載の原稿画像読取装置において、原稿台本体は、透明なガラス体からなることを特徴とする原稿画像読取装置。
【請求項５】
請求項１、２又は３に記載の原稿画像読取装置において、原稿台本体は、透明な樹脂体からなることを特徴とする原稿画像読取装置。
【請求項６】
請求項１、２、３、４又は５に記載の原稿画像読取装置において、原稿台本体には、外周面に接触して清掃する清掃部材を備えたことを特徴とする原稿画像読取装置。
【請求項７】
請求項６に記載の原稿画像読取装置において、清掃部材は、弾性体を介して外周面に接触して清掃することを特徴とする原稿画像読取装置。
【請求項８】
請求項６又は７に記載の原稿画像読取装置において、清掃部材は、吸着剤を染み込ませた布部材からなることを特徴とする原稿画像読取装置。
【請求項９】
請求項６、７又は８に記載の原稿画像読取装置において、清掃部材は、原稿台本体の回動軸と平行の側面に配置したことを特徴とする原稿画像読取装置。
【請求項１０】
請求項１、２、３、４、５、６、７、８又は９に記載の原稿画像読取装置において、原稿画像面読取手段は、縦筋のある欠落画像の異常画像の検知により、原稿給送手段から次に給送される原稿の原稿画像面を読み取る前に、原稿画像面読取部の原稿画像面の読取り位置における外周面を次の読取面に変えることを特徴とする原稿画像読取装置。
【請求項１１】
請求項１、２、３、４、５、６、７、８、９又は１０に記載の原稿画像読取装置において、原稿画像面読取手段は、原稿台における縦筋のある欠落画像の異常画像を検知した外周面の汚れた読取り面と上記読取り面に対向する対向面を、次の上記読取り面となることを回避するように原稿台本体駆動源の回動角度を規制することを特徴とする原稿画像読取装置。
【請求項１２】
請求項１乃至１１の何れか一項に記載の原稿画像読取装置において、原稿画像面読取手段は、縦筋のある欠落画像の異常画像を検知した外周面の複数の汚れた読取り面の検知によって、原稿台本体駆動源を複数回の回転駆動をする清掃モードにすることを特徴とする原稿画像読取装置。
【請求項１３】
請求項１２に記載の原稿画像読取装置において、原稿台本体駆動源は、清掃モード時に正回転と逆回転を組み合わせて原稿台本体を複数回の回転駆動をすることを特徴とする原稿画像読取装置。
【請求項１４】
請求項１２又は１３に記載の原稿画像読取装置において、原稿画像面読取手段は、原稿台本体駆動源の清掃モード後の縦筋のある欠落画像の異常画像の検知によって、警告表示手段に異常画像の警告表示をすることを特徴とする原稿画像読取装置。
【請求項１５】
請求項１、２、３、４、５、６、７、８又は９に記載の原稿画像読取装置において、原稿画像面読取手段は、上記原稿台の原稿台本体の外周面の読取り面上を通過する一枚の原稿の原稿画像を読み取る度毎に、原稿台本体駆動源によって原稿台本体を回動駆動して他の読取り面に交換することを特徴とする原稿画像読取装置。
【請求項１６】
給送される原稿の原稿画像を読み取って記録画像を形成する画像形成装置において、上記請求項１乃至１５の何れか一項に記載の給送される原稿の原稿画像を読み取る原稿画像読取装置と、上記原稿画像読取装置で読み取る原稿の原稿画像の記録画像を形成する画像形成部を具備することを特徴とする画像形成装置。
【請求項１７】
請求項１６に記載の画像形成装置において、画像形成部は、電子写真方法で被記録体上にトナー画像を形成することを特徴とする画像形成装置。
【発明の詳細な説明】
【技術分野】
【０００１】
本発明は、原稿画像読取装置、及び、その原稿画像読取装置を具備する画像形成装置に関し、詳しくは、給送される原稿の原稿画像を読み取る原稿画像読取装置、及び、その原稿画像読取装置により給送される原稿の原稿画像を読み取って記録画像を形成するインクジェット方式等や電子写真方法の作像プロセスでトナー画像を形成する複写機、ファクシミリ装置、プリンタあるいはこれ等の複合機等の画像形成装置に関する。
【背景技術】
【０００２】
従来から、原稿画像読取装置、及び、その原稿画像読取装置を具備する画像形成装置では、原稿画像を読み取る読取部を固定し、一方光学系の露光位置である原稿ガラス上に原稿を自動給送する自動原稿給送装置（ＡＤＦ）を有し、原稿を原稿ガラス上に一定速度で移動させながら原稿の画像面を読み取る方式がある。この所謂、シートスルータイプにおいては、その読取部にゴミや埃等の異物が滞留、付着した場合や、読取部に傷がついた場合には、縦筋のある欠落画像の異常画像が発生していた。
図５乃至図７において、原稿画像読取装置１００の原稿給送部１０１では、原稿トレイ１０１ａに積載された原稿（Ｐ）は、呼び出しローラ１０１ｂの回転により分離ローラ１０１ｃに送られる。
上記分離ローラ１０１ｃにより積載された一番上の原稿（Ｐ）のみが分離されて給紙ローラ１０１ｄに搬送される。
上記給紙ローラ１０１ｄを経て、案内手段１０３である前側ガイド１０３ａ、原稿押さえ板１０３ｂ、及び、後側ガイド１０３ｃにより形成された搬送路内に案内された原稿（Ｐ）は、ＡＤＦ原稿ガラス１０４上の原稿画像面読取部１０２における露光位置で原稿画像が読み取られる。
光学ユニット１０６は、筺体１００ａ内に搭載されており、上記ＡＤＦ原稿ガラス１０４上を通過する原稿（Ｐ）の原稿画像面に対して光源１０６ａからの照射を行い、その反射光が、第１ミラー１０６ｂ、第２ミラー１０６ｃ、及び、第３ミラー１０６ｄを介してレンズ１０６ｅを通過することにより、画像処理基板１０５ａ上のＣＣＤ１０５に結像される。
上記ＡＤＦ原稿ガラス１０４上を移動しながら画像を読み取られた原稿（Ｐ）は、上記後側ガイド１０３ｃに案内され、排紙部１０７の排紙ローラ１０７ａにより排紙トレイ１０７ｂに排紙される。
尚、載置用の原稿ガラス１０８は、例えば、自動原稿給送装置（ＡＤＦ）を使用できないブック（ＢＯＯＫ）原稿を読みとる場合に用いられる。
【０００３】
図６に図示するように、自動原稿給送装置（ＡＤＦ）の上記案内手段１０３として、原稿（Ｐ）の浮きを制限するために上記原稿押さえ板１０３ｂが設置されている。
一般に、上記原稿押さえ板１０３ｂは、原稿（Ｐ）の搬送を妨げないように上記ＡＤＦ原稿ガラス１０４との間に、通常０．５ｍｍ〜１ｍｍ程度の隙間（Ｘ）を設けるように設置される。
ところで、上記構成の自動原稿給送装置（ＡＤＦ）において、原稿（Ｐ）からゴミや埃等の異物（Ｙ）が上記ＡＤＦ原稿ガラス１０４上に移り、これにより読み取り画像に縦筋のある欠落画像の異常画像が発生するという不具合がある。
これは、図７に図示するように、原稿（Ｐ）の先端が上記排紙ローラ１０７ａに到達すると、原稿（Ｐ）は上記排紙ローラ１０７ａにより図示の矢印（Ｚ）方向に引っ張られ、上記ＡＤＦ原稿ガラス１０４と、原稿（Ｐ）との間に上記隙間（Ｘ）に応じた分だけ空間ができるためである。
即ち、このような空間がなければゴミや埃等の異物は、搬送される原稿（Ｐ）によって上記ＡＤＦ原稿ガラス１０４上からこすり取られるので付着して異物（Ｙ）となることはないが、搬送中にそのような上記隙間（Ｘ）ができるために、ゴミや埃等の異物（Ｙ）が付着しやすくなるのである。
【０００４】
上記ＡＤＦ原稿ガラス１０４面は、上記光学ユニット１０６からの反射光経路であることから、ここにゴミや埃等の異物（Ｙ）が存在するとその位置における反射が阻害され、読み取り画像に縦筋のある欠落画像の異常画像が発生することとなる。
そこで、デジタルタイプの原稿移動・光学系固定方式の画像読取装置において、原稿を原稿台に押し付けるバックアップローラの下部に対応する原稿台の読取位置に、主走査方向に所定幅のスリット穴を設けて、そのスリット穴に下から送風して、バックアップローラと原稿台との最狭部分へのゴミの付着・滞留を防止するようにしてゴミ付着に起因する黒筋発生を低減しようとすることは公知である（特許文献１を参照）。
然し、これは、スリット穴を設けて、そのスリット穴に送風することによって、ゴミや塵等の異物をスリットに入らないようにしているが、ゴミ、塵や塵等の異物は飛散して最終的に装置自体が汚れて、経時で縦筋のなる欠落画像の異常画像が発生して読み取り画像の品質が低下していた。
更に、スリットを空けて、読取ラインをスリットの開口と第１ミラー上の読取位置が垂直にならないようにスリット自体を斜めにずらして配置して、原稿読取位置のスリットガラスにおける汚れを考慮しなくても読み取られた画像情報の品質が低下しないようにすることも公知である（特許文献２を参照）。
然し、これも、スリット自体を斜めに配置することによって、ゴミや塵等の異物をスリットに入らないようにしているが、ゴミ、塵や埃等の異物は飛散して最終的に装置自体が汚れて、経時で縦筋のある欠落画像の異常画像が発生して読み取り画像の品質が低下していた。
従って、従来の原稿画像読取装置、及び、その原稿画像読取装置を具備する画像形成装置においては、スリットを設けて、スリット自体を斜めに配置し、送風することによってゴミ、塵や埃等の異物をスリットに入らないようにしているが、ゴミ、塵や埃等の異物は飛散して、最終的に装置自体が汚れて、経時で縦筋のある欠落画像の異常画像になり、給送される原稿の原稿画像面の読み取り画像の品質が低下すると言う不具合が生じていた。更に、関連文献としては、特許文献３、４がある。
【特許文献１】特開平９−９３４０５号公報
【特許文献２】特開２０００−４７４３７公報
【特許文献３】特開平６−１６４８６３号公報
【特許文献４】特開２０００−１３４４０９公報
【発明の開示】
【発明が解決しようとする課題】
【０００５】
従来の原稿画像読取装置、及び、その原稿画像読取装置を具備する画像形成装置においては、スリットを設けて、スリット自体を斜めに配置し、そのスリットに送風することによって、ゴミ、塵や埃等の異物をスリットに入らないようにしているが、ゴミ、塵や埃等の異物は飛散して、最終的に装置自体が汚れて、経時で縦筋のある欠落画像の異常画像になり、給送される原稿の原稿画像面の読み取り画像の品質が低下すると言う問題が発生していた。
そこで本発明の課題は、このような問題点を解決するものである。即ち、給送される原稿の原稿画像面読取部に配置される原稿台上に付着するゴミ、塵や埃等の異物を容易で確実に回収して除去することによって、軽量で小型の低コストで簡単な装置で縦筋のある欠落画像の異常画像の発生を確実に防止して高品質の読取画像を形成する原稿画像読取装置、及び、その原稿画像読取装置を具備する画像形成装置を提供することを目的とする。
【課題を解決するための手段】
【０００６】
上記目的を達成するために、請求項１に記載の本発明は、給送される原稿の原稿画像を読み取る原稿画像読取装置において、載置された原稿を給送する原稿給送手段と、上記原稿給送手段から給送される原稿を原稿画像面の読み取りが行われる原稿画像面読取部に案内する案内手段と、上記案内手段で案内される原稿の原稿画像面を読み取る上記原稿画像面読取部に配置されて回動可能に保持された透明部材からなる断面形状が多角形状の原稿台と、上記原稿台の原稿台本体の外周面の読取り面上を通過する原稿の原稿画像面を読み取る原稿画像面読取手段とからなる原稿画像読取装置であることを最も主要な特徴とする。
又は、請求項２に記載の本発明は、請求項１に記載の原稿画像読取装置において、原稿台本体は、断面形状を４角以上の正偶数角形状である原稿画像読取装置であることを主要な特徴とする。
又は、請求項３に記載の本発明は、請求項１又は２に記載の原稿画像読取装置において、原稿台本体は、原稿台本体駆動源によって断面中心を回動中心として回動駆動される原稿画像読取装置であることを主要な特徴とする。
又は、請求項４に記載の本発明は、請求項１、２又は３に記載の原稿画像読取装置において、原稿台本体は、透明なガラス体からなる原稿画像読取装置であることを主要な特徴とする。
又は、請求項５に記載の本発明は、請求項１、２又は３に記載の原稿画像読取装置において、原稿台本体は、透明な樹脂体からなる原稿画像読取装置であることを主要な特徴とする。
又は、請求項６に記載の本発明は、請求項１、２、３、４又は５に記載の原稿画像読取装置において、原稿台本体には、外周面に接触して清掃する清掃部材を備えた原稿画像読取装置であることを主要な特徴とする。
又は、請求項７に記載の本発明は、請求項６に記載の原稿画像読取装置において、清掃部材は、弾性体を介して外周面に接触して清掃する原稿画像読取装置であることを主要な特徴とする。
又は、請求項８に記載の本発明は、請求項６又は７に記載の原稿画像読取装置において、清掃部材は、吸着剤を染み込ませた布部材からなる原稿画像読取装置であることを主要な特徴とする。
又は、請求項９に記載の本発明は、請求項６、７又は８に記載の原稿画像読取装置において、清掃部材は、原稿台本体の回動軸と平行の側面に配置した原稿画像読取装置であることを主要な特徴とする。
【０００７】
又は、請求項１０に記載の本発明は、請求項１、２、３、４、５、６、７、８又は９に記載の原稿画像読取装置において、原稿画像面読取手段は、縦筋のある欠落画像の異常画像の検知により、原稿給送手段から次に給送される原稿の原稿画像面を読み取る前に、原稿画像面読取部の原稿画像面の読取り位置における外周面を次の読取り面に変える原稿画像読取装置であることを主要な特徴とする。
又は、請求項１１に記載の本発明は、請求項１、２、３、４、５、６、７、８、９又は１０に記載の原稿画像読取装置において、原稿画像面読取手段は、原稿台における縦筋のある欠落画像の異常画像を検知した外周面の汚れた読取り面と上記読取り面に対向する対向面を、次の上記読取り面となることを回避するように原稿台本体駆動源の回動角度を規制する原稿画像読取装置であることを主要な特徴とする。
又は、請求項１２に記載の本発明は、請求項１乃至１１の何れか一項に記載の原稿画像読取装置において、原稿画像面読取手段は、縦筋のある欠落画像の異常画像を検知した外周面の複数の汚れた読取り面の検知によって、原稿台本体駆動源を複数回の回転駆動をする清掃モードにする原稿画像読取装置であることを主要な特徴とする。
又は、請求項１３に記載の本発明は、請求項１２に記載の原稿画像読取装置において、原稿台本体駆動源は、清掃モード時に正回転と逆回転を組み合わせて原稿台本体を複数回の回転駆動をする原稿画像読取装置であることを主要な特徴とする。
又は、請求項１４に記載の本発明は、請求項１２又は１３に記載の原稿画像読取装置において、原稿画像面読取手段は、原稿台本体駆動源の清掃モード後の縦筋のある欠落画像の異常画像の検知によって、警告表示手段に異常画像の警告表示をする原稿画像読取装置であることを主要な特徴とする。
又は、請求項１５に記載の本発明は、請求項１、２、３、４、５、６、７、８又は９に記載の原稿画像読取装置において、原稿画像面読取手段（５）は、上記原稿台の原稿台本体の外周面の読取り面上を通過する一枚の原稿の原稿画像を読み取る度毎に、原稿台本体駆動源によって原稿台本体を回動駆動して他の読取り面に交換する原稿画像読取装置であることを主要な特徴とする。
又は、請求項１６に記載の本発明は、給送される原稿の原稿画像を読み取って記録画像を形成する画像形成装置において、上記請求項１乃至１５の何れか一項に記載の給送される原稿の原稿画像を読み取る原稿画像読取装置と、上記原稿画像読取装置で読み取る原稿の原稿画像の記録画像を形成する画像形成部を具備する画像形成装置であることを最も主要な特徴とする。
又は、請求項１７に記載の本発明は、に記載の本発明は、請求項１６に記載の画像形成装置において、画像形成部は、電子写真方法で被記録体上にトナー画像を形成する画像形成装置であることを主要な特徴とする。
【発明の効果】
【０００８】
本発明は、以下に説明するように構成されているので、請求項１の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、縦筋のある欠落画像の異常画像の発生を防止して高品質の読取画像を形成する原稿画像読取装置を提供することが出来るようになった。
請求項２の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、２面の読取り面の距離を一定に保つことが可能になり簡便な装置で光学的距離に変化がなく縦筋のある欠落画像の異常画像の発生を防止して高品質の読取画像を形成する原稿画像読取装置を提供することが出来るようになった。
請求項３の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、原稿台本体が回転しても簡便な装置で光学的距離に変化がなく縦筋のある欠落画像の異常画像の発生を防止して高品質の読取画像を形成する原稿画像読取装置を提供することが出来るようになった。
請求項４の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、光学的に優れ縦筋のある欠落画像の異常画像の発生を防止して高品質の読取画像を形成する原稿画像読取装置を提供することが出来るようになった。
請求項５の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、軽量で低コスト化が可能になり縦筋のある欠落画像の異常画像の発生を防止して高品質の読取画像を形成する原稿画像読取装置を提供することが出来るようになった。
【０００９】
請求項６の発明によれば、給送される原稿の原稿画像面読取部に配置される原稿台上に付着するゴミ、塵や埃等の異物を、原稿台の原稿台本体を回動して読取り面を変えるだけで、原稿台の原稿台本体の外周面の読取り面を変える容易な回動動作で清掃して付着するゴミ、塵や埃等の異物を確実に回収して除去することによって、縦筋のある欠落画像の異常画像の発生を防止して高品質の読取画像を形成する原稿画像読取装置を提供することが出来るようになった。
請求項７の発明によれば、給送される原稿の原稿画像面読取部に配置される原稿台上に付着するゴミ、塵や埃等の異物を、原稿台の原稿台本体を回動して読取り面を変えるだけで、原稿台の原稿台本体の外周面の読取り面を変える容易な回動動作で清掃して付着するゴミ、塵や埃等の粘着性の異物でも確実に回収して除去することによって、縦筋のある欠落画像の異常画像の発生を防止して高品質の読取画像を形成する原稿画像読取装置を提供することが出来るようになった。
請求項８の発明によれば、給送される原稿の原稿画像面読取部に配置される原稿台上に付着するゴミ、塵や埃等の異物を、原稿台の原稿台本体を回動して読取り面を変えるだけで、原稿台の原稿台本体の外周面の読取り面を変える容易な回動動作とより高い清掃能力で清掃して付着するゴミ、塵や埃等の異物を確実に回収して除去することによって、縦筋のある欠落画像の異常画像の発生を防止して高品質の読取画像を形成する原稿画像読取装置を提供することが出来るようになった。
請求項９の発明によれば、給送される原稿の原稿画像面読取部に配置される原稿台上に付着するゴミ、塵や埃等の異物を、原稿台の原稿台本体を回動して読取り面を変えるだけで、原稿台の原稿台本体の外周面の読取り面を変える容易な回動動作で清掃して付着するゴミ、塵や埃等の異物を確実に回収して除去することによって、縦筋のある欠落画像の異常画像の発生を防止して高品質の読取画像を形成する小型の原稿画像読取装置を提供することが出来るようになった。
【００１０】
請求項１０の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、縦筋のある欠落画像の異常画像の発生を一瞬の１枚の原稿に抑えて防止して高品質の読取画像を形成する原稿画像読取装置を提供することが出来るようになった。
請求項１１の発明によれば、一度、清掃しきれない汚れや傷がついた場合の外周面の読取り面は、清掃モードに入るまで使用されないことになり、給送される原稿の原稿画像面読取部に配置される原稿台上に付着するゴミ、塵や埃等の異物を、原稿台の原稿台本体を回動して外周面の読取り面を変えるだけで、確実に回収して除去することによって、縦筋のある欠落画像の異常画像の発生を防止してより安定な高品質の読取画像を形成する上記原稿画像読取装置０を提供することが出来るようになった。
請求項１２の発明によれば、給送される原稿の原稿画像面読取部に配置される原稿台上に付着する糊等の粘着性のあるゴミ、塵や埃等の異物も、原稿台の原稿台本体を回動して外周面の読取り面を変えて、一度で清掃しきれない汚れや傷がついた場合の外周面の読取り面は清掃モードに入りゴミ、塵や埃等の異物の汚れの清掃を可能にして、更に、確実に回収して除去することによって、縦筋のある欠落画像の異常画像の発生を防止してより安定な高品質の読取画像を形成する上記原稿画像読取装置０を提供することが出来るようになった。
請求項１３の発明によれば、給送される原稿の原稿画像面読取部に配置される原稿台上に付着する糊等の粘着性のあるゴミ、塵や埃等の異物も、原稿台の原稿台本体を回動して外周面の読取り面を変えて、一度で清掃しきれない汚れや傷がついた場合の外周面の読取り面は清掃モードに入りゴミ、塵や埃等の異物の汚れの強力清掃を可能にして、更に、確実に回収して除去することによって、縦筋のある欠落画像の異常画像の発生を防止してより安定な高品質の読取画像を形成する上記原稿画像読取装置０を提供することが出来るようになった。
【００１１】
請求項１４の発明によれば、給送される原稿の原稿画像面読取部に配置される原稿台上に付着する糊等の粘着性のあるゴミ、塵や埃等の異物も、原稿台の原稿台本体を回動して外周面の読取り面を変えて、一度で清掃しきれない汚れや傷がついた場合の外周面の読取り面は清掃モードに入りゴミ、塵や埃等の異物の汚れの清掃を可能にして、更に、確実に回収して除去することによって、更に、清掃モード後の縦筋のある欠落画像の異常画像をサービスマン、又は、ユーザー等による点検および清掃を促すことによって縦筋のある欠落画像の異常画像の発生を防止してより安定な高品質の読取画像を形成する上記原稿画像読取装置０を提供することが出来るようになった。
請求項１５の発明によれば、給送される原稿の原稿画像面読取部に配置される原稿台上に付着するゴミ、塵や埃等の異物を、原稿台の原稿台本体を回動して読取り面を変えるだけで、確実に回収して除去することによって、次の一枚の原稿における縦筋のある欠落画像の異常画像の発生を防止して高品質の読取画像を形成する原稿画像読取装置を提供することが出来るようになった。
請求項１６の発明によれば、給送される原稿の原稿画像面読取部に配置される原稿台上に付着するゴミ、塵や埃等の異物を容易で確実に回収して除去することによって、軽量で小型の低コストで簡単な装置で縦筋のある欠落画像の異常画像の発生を確実に防止して高品質の読取画像を形成して記録画像を形成する画像形成装置を提供することが出来るようになった。
請求項１７の発明によれば、給送される原稿の原稿画像面読取部に配置される原稿台上に付着するゴミ、塵や埃等の異物を容易で確実に回収して除去することによって、軽量で小型の低コストで簡単な装置で縦筋のある欠落画像の異常画像の発生を確実に防止して高品質の読取画像を形成して高速で高品質のトナー画蔵の記録画像を形成する画像形成装置を提供することが出来るようになった。
【発明を実施するための最良の形態】
【００１２】
次に、本発明の実施の形態は、図面を参照して詳細に説明する。
図１乃至図３において、給送される原稿の原稿画像を読み取る原稿画像読取装置０は、載置された原稿（Ｐ）を給送する原稿給送手段１と、上記原稿給送手段１から給送される原稿（Ｐ）を原稿画像面の読み取りが行われる原稿画像面読取部２に案内する案内手段３と、上記案内手段３で案内される原稿（Ｐ）の原稿画像面を読み取る上記原稿画像面読取部２に配置されて回動可能に保持された透明部材からなる断面形状が多角形状の原稿台４と、上記原稿台４の原稿台本体４ａの外周面４ｂの読取り面４ｂ１上を通過する原稿（Ｐ）の原稿画像面を読み取る原稿画像面読取手段５のＣＣＤ５ａとからなり、給送される原稿（Ｐ）の上記原稿画像面読取部２に配置される上記原稿台４上に付着するゴミ、塵や埃等の異物（Ｙ）を、上記原稿台４の上記原稿台本体４ａを回動して上記読取り面４ｂ１上を変えるだけで、確実に回収して除去することによって、縦筋のある欠落画像の異常画像の発生を防止して高品質の読取画像を形成する。
上記原稿画像読取装置０における自動原稿給送装置（ＡＤＦ）は、原稿（Ｐ）を上記原稿画像面読取部２の露光位置に給送する上記原稿給送手段１と、上記原稿画像面読取部２の露光位置に原稿（Ｐ）を案内する上記案内手段３と、露光後の原稿（Ｐ）を排紙する排紙部７の排紙ローラ７ａと排紙トレイ７ｂとからなるものである。
上記原稿給送手段１は、原稿トレイ１ａ上に積載された原稿（Ｐ）を、呼び出しローラ１ｂの回転により分離ローラ１ｃに給送する。
上記分離ローラ１ｃは、上記原稿トレイ１ａ上に積載された一番上の原稿（Ｐ）のみを分離して給紙ローラ１ｄに搬送する。
上記給紙ローラ１ｄを経て、上記案内手段３である前側ガイド３ａ、原稿押さえ板３ｂ、及び、後側ガイド３ｃにより形成された搬送路内に案内された原稿（Ｐ）は、上記原稿台４上の上記原稿画像面読取部２における露光位置で原稿画像が読み取られる。
上記給紙ローラ１ｄの上流近傍に原稿（Ｐ）の検知手段としての給送部原稿センサ１ｅが設けられている。
【００１３】
上記排紙部７は、上記排紙ローラ７ａ、及び、上記排紙トレイ７ｂ等により構成され、上記排紙ローラ７ａの下流近傍には原稿（Ｐ）の検知手段としての排紙部原稿センサ７ｃが設けられている。
上記原稿台４の上記原稿台本体４ａは、断面形状を４角以上の正偶数角形状であり、図示の場合は、正６角形の断面形状をしてなり断面中央に回動軸４ａ１を上記原稿画像面読取部２における露光位置に配置されている。
従って、上記原稿台４の上記原稿台本体４ａが、断面形状を正偶数角形状であるから、上記外周面４ｂの上記読取り面４ｂ１と対向する対抗面４ｂ２の２面の距離を一定に保つことが可能になり、光学的距離に変化がないため簡便な装置で縦筋のある欠落画像の異常画像の発生を防止して高品質の読取画像を形成することが出来るようになった。
又、上記回動軸４ａ１は、原稿台本体駆動源４ｃの小型モータに直結されて、上記原稿台４の上記原稿台本体４ａの断面中心を回動中心として回動駆動されるようになっている。
従って、上記原稿台４の上記原稿台本体４ａが回転しても、光学的距離に変化がないため、簡便な装置で縦筋のある欠落画像の異常画像の発生を防止して高品質の読取画像を形成することが出来るようになった。
上記原稿台４の上記原稿台本体４ａは、透明なガラス体からなり、光学的に優れ縦筋のある欠落画像の異常画像の発生を防止して高品質の読取画像を形成する上記原稿画像読取装置０を提供することが出来るようになった。
又は、上記原稿台４の上記原稿台本体４ａを、樹脂体にすることによって、軽量で低コスト化が可能になり、縦筋のある欠落画像の異常画像の発生を防止して高品質の読取画像を形成する上記原稿画像読取装置０を提供することが出来るようになった。
上記案内手段３は、上記原稿画像面読取部２に配置された上記原稿台４の上流側（図中の左側）に配置される上記前側ガイド３ａと、上記原稿画像面読取部２に配置された上記原稿台４の下流側（図中の右側）に配置される上記後側ガイド３ｃと、原稿（Ｐ）の浮きを防止するとともに上記原稿台４との間に搬送可能な隙間（Ｘ）を形成する上記原稿押さえ板３ｂとにより構成されている。
【００１４】
光学ユニット６は、筺体０ａ（図２も参照）内に搭載されており、上記原稿台４の上記読取り面４ｂ１上を通過する原稿（Ｐ）の原稿画像面に対して光源６ａからの照射を行い、その反射光が、第１ミラー６ｂ、第２ミラー６ｃ、及び、第３ミラー６ｄを介してレンズ６ｅを通過することにより、画像処理基板５ｂ上の上記原稿画像面読取手段５の上記ＣＣＤ５ａに結像するようになっている。
又、上記原稿台４の上記原稿台本体４の下方には、第１キャリッジ６ｆが配置されて、上記第１キャリッジ６ｆ上には上記光源６ａのランプ、反射板６ａ１、上記第１ミラー６ｂ、そして上記第１ミラー６ｂの中心が上記原稿台４の上記読取り面４ｂ１上の隙間の中央になるように位置しており、そこを読取位置に設定してある。
又、上記原稿画像面読取部２に配置された上記原稿台４の上記原稿台本体４ａは、下流側（図中の右側）の上記回動軸４ａ１と平行の側面に上記外周面４ｂに接触して清掃する清掃部材４ｄが設けられている。
従って、上記清掃部材４ｄが設けられても、上記筺体０ａ内の有効利用により大型になることなく小型で、上記原稿台４の上記原稿台本体４ａの上記外周面４ｂの上記読取り面４ｂ１を変える回動動作で容易に清掃して付着するゴミ、塵や埃等の異物を確実に回収して除去することによって、縦筋のある欠落画像の異常画像の発生を確実に防止して高品質の読取画像を形成する上記原稿画像読取装置０を提供することが出来るようになった。
更に、上記清掃部材４ｄは、図２に示すように吸着剤が染み込ませてある化学雑巾、又は、超極細繊維の布部材からなり弾性体４ｅを介して保持部材４ｆで保持されて、上記原稿台４の上記原稿台本体４ａの上記外周面４ｂに接触して清掃するように設置されている。
上記後側ガイド３ｃと載置用原稿台８の間には白基準板９が配置されており、１枚の原稿（Ｐ）を読む毎に、白レベル補正を行うため上記白基準板９を読み込むために、上記第１キャリッジ６ｆが移動して、上記原稿画像面読取部２の読取位置に戻ってくる動作を行うようになっている。
【００１５】
上記原稿画像読取装置０によると、図３に図示するように、上記原稿画像面読取部２の原稿画像面の読取り位置における、上記原稿台４の上記原稿台本体４ａの上記外周面４ｂの上記読取面４ｂ１上に紙粉等のゴミ、塵や埃等の異物（Ｙ）が溜まって付着すると（図３（ａ）を参照）、上記原稿画像面読取手段５の上記ＣＣＤ５ａと上記画像処理基板５ｂにより連続した縦筋のある欠落が発生した欠落画像の異常画像を検知した場合（図３（ｂ）を参照）、上記原稿台本体駆動源４ｃの小型モータにより、上記原稿台４の上記原稿台本体４ａが、図示の矢印（Ａ）方向に６０度の正回動するようになっている。
従って、この図示の矢印（Ａ）方向の６０度の正回動により、上記原稿画像面読取部２の原稿画像面の読取り位置における、上記原稿台４の上記原稿台本体４ａの上記外周面４ｂに紙粉等のゴミ、塵や埃等の異物（Ｙ）が溜まった付着等の汚れの無い新たな他の上記読取面４ｂ１上で、次に給送されて来る原稿（Ｐ）の原稿画像面を読み込むことになり、原稿（Ｐ）の原稿画像面を読み込む光路が紙粉等のゴミ、塵や埃等の異物（Ｙ）が溜まった付着等の汚れの障害物に蹴られて、読み取り画像が途切れるのは、一瞬の１枚の原稿（Ｐ）に抑えることが出来ることになる。
又、この図示の矢印（Ａ）方向の６０度の正回動時により、上記原稿台４の上記原稿台本体４ａの上記外周面４ｂに紙粉等のゴミ、塵や埃等の異物（Ｙ）が溜まった付着等の汚れた上記読取面４ｂ１は、上記清掃部材４ｄの吸着剤が染み込ませてある化学雑巾、又は、超極細繊維の布部材に擦りつけられるように設置しているため、汚れた上記読取面４ｂ１の清掃と汚れた上記読取面４ｂ１の取り替えとを同時に行えるようになっている。
上記原稿画像読取装置０においては、又、吸着剤が染み込ませてある化学雑巾、又は、超極細繊維の布部材からなる上記清掃部材４ｄが、上記弾性体４ｅを介して上記保持部材４ｆで取り付けられているために、糊の粘着性をもったものが上記原稿台本体４ａの上記外周面４ｂの上記読取面４ｂ１に付着した場合でも、擦り取るように拭かれ取られて除去されるので、高い清掃能力を発揮することが出来るようになっている。
【００１６】
上記原稿画像面読取手段５の上記ＣＣＤ５ａと上記画像処理基板５ｂにより、上記原稿台４の上記原稿台本体４ａの上記外周面４ｂの３面の上記読取面４ｂ１の縦筋のある欠落画像の異常画像を検知されと、上記原稿台４の上記原稿台本体４ａの上記外周面４ｂの上記読取面４ｂ１が３回の回動、つまり、１８０度回転した状態になり、最初に汚れた上記外周面４ｂの上記読取面４ｂ１が真下に位置する。その場合は、同位置での原稿の欠落がないかを検出して清掃の成否が確認される。
そこで、清掃しきれない汚れや、上記原稿台本体４ａや上記外周面４ｂの上記読取面４ｂ１に傷がついた場合のように同位置での縦筋のある欠落の異常画像が見られた場合は、この上記外周面４ｂの上記読取面４ｂ１の組み合わせは回避して使用されないように、上記原稿台本体駆動源４ｃの小型モータの回動駆動が規制されるようになっている。
従って、一度、清掃しきれない汚れや傷がついた場合の上記外周面４ｂの上記読取り面４ｂ１は、清掃モードに入るまで使用されないことになり、給送される原稿（Ｐ）の上記原稿画像面読取部２に配置される上記原稿台４上に付着するゴミ、塵や埃等の異物を、上記原稿台４の上記原稿台本体４ａを回動して上記外周面４ｂの上記読取り面４ｂ１を変えるだけで、確実に回収して除去することによって、縦筋のある欠落画像の異常画像の発生を防止してより安定な高品質の読取画像を形成する上記原稿画像読取装置０を提供することが出来るようになった。
長期にわたる使用で、複数面、３面以上の上記読取面４ｂ１の縦筋のある欠落画像の異常画像の汚れが検出されると、上記外周面４ｂのどの上記読取面４ｂ１でも縦筋のある欠落の異常画像が発生してしまうため、上記原稿台本体駆動源４ｃの小型モータを複数回の回転駆動をする清掃モードに入り、正回転、及び、逆回転を組み合わせて複数回の回転駆動を繰り返すようになっている。
これにより通常の６０度の回動では、除去出来なかった強力な紙粉等のゴミ、塵や埃等の異物（Ｙ）が溜まった付着等の汚れの清掃を可能にしている。
更に、上記原稿画像面読取手段５の上記ＣＣＤ５ａと上記画像処理基板５ｂにより、上記原稿台本体駆動源４ｃの小型モータの清掃モード後の縦筋のある欠落画像の異常画像の検知によって、操作部等の警告表示手段１０に異常画像のエラーメッセージの警報や警告表示され、サービスマン、又は、ユーザー等による点検および清掃を促すようになっている。
このため、長期に渡ってメンテナンスが必要なく安定して、縦筋のある欠落画像の異常画像の発生を確実に防止して高品質の読取画像を形成する上記原稿画像読取装置０を提供することが出来るようになった。
更に、上記原稿画像読取装置０において、記原稿画像面読取手段５の上記ＣＣＤ５ａと上記画像処理基板５ｂにより、上記原稿台４の上記原稿台本体４ａの上記外周面４ｂの上記読取り面４ｂ１上を通過する一枚の原稿（Ｐ）の原稿画像面を読み取る度毎に、上記原稿台本体駆動源４ｃの小型モータによって上記原稿台本体４ａを回動駆動して、次の、他の上記読取り面４ｂ１に交換するようになっている。
従って、次の一枚の原稿（Ｐ）における縦筋のある欠落画像の異常画像の発生を確実に防止して高品質の読取画像を形成する上記原稿画像読取装置０を提供することが出来るようになった。
【００１７】
図４において、給送される原稿の原稿画像を読み取って記録画像を形成する画像形成装置５０は、上記請求項１乃至１５の何れか一項に記載の給送される原稿（Ｐ）の原稿画像を読み取る上記原稿画像読取装置０と、上記原稿画像読取装置０で読み取る原稿（Ｐ）の原稿画像の記録画像を形成する画像形成部６０を具備しているから、給送される原稿（Ｐ）の上記原稿画像面読取部２に配置される上記原稿台４上に付着するゴミ、塵や埃等の異物（Ｙ）を容易で確実に回収して除去することによって、軽量で小型の低コストで簡単な装置で縦筋のある欠落画像の異常画像の発生を確実に防止して高品質の読取画像を形成して記録画像を形成する。
上記画像形成装置５０の電子写真方法でトナー画像を形成する複写機は、上部には、搬送される原稿（Ｐ）の原稿画像を読み取る上記原稿画像読取装置０が配置されている。
他方、下部には、上記画像形成部６０を載置して被記録体（Ｓ）の記録用紙を供給する給紙装置６１が配置されている。
上記原稿画像読取装置０で読み取る原稿（Ｐ）の原稿画像の画像データでトナー画像を形成する電子写真方法による、潜像形成手段５３のレーザーダイオードを発光させることにより、帯電手段５２で均一に帯電された像担持体５１のドラム形状の感光体ドラムの表面５１ａに潜像を形成する。
上記潜像形成手段５３のレーザーダイオードを発光させて形成した静電潜像を現像手段５４で顕像化してトナー画像を形成する。
上記現像手段５４で顕像化したトナー画像は、転写手段５５で、上記給紙装置６１から搬送されて来る被記録体（Ｓ）の記録用紙に転写さして記録される。
上記転写手段５５で被記録体（Ｓ）の記録用紙に転写して記録されたトナー画像は、定着手段５６にて加熱と加圧後に、被記録体（Ｓ）の記録用紙は排紙ローラ５７によって排紙トレイ５８に排紙されて収納される。
他方、上記像担持体５１のドラム形状の感光体ドラムの上記表面５１ａは、被記録体（Ｓ）の記録用紙にトナー画像を転写した後に、上記像担持体５１のドラム形状の感光体ドラムの上記表面５１ａに付着した残留トナーを、クリーニング手段５９によって掻き落とされてクリーニングされて、次工程の画像形成に備えるようになっている。
従って、給送される原稿（Ｐ）の上記原稿画像面読取部２に配置される上記原稿台４上に付着するゴミ、塵や埃等の異物（Ｙ）を容易で確実に回収して除去することによって、軽量で小型の低コストで簡単な装置で縦筋のある欠落画像の異常画像の発生を確実に防止して高品質の読取画像を形成する上記原稿画像読取装置０を具備して高速で高品質のトナー画蔵を形成する上記画像形成装置５０を提供することが出来るようになった。
【図面の簡単な説明】
【００１８】
【図１】本発明の実施の形態例を示す原稿画像読取装置を説明する説明図である。
【図２】本発明の実施の形態例を示す原稿画像読取装置の主要部を説明する拡大図である。
【図３】本発明の実施の形態例を示す原稿画像読取装置の他の主要部の状態を説明する拡大図である。
【図４】本発明の実施の形態例を示す原稿画像読取装置を具備する画像形成装置を説明する説明図である。
【図５】従来の原稿画像読取装置を説明する説明図である。
【図６】従来の原稿画像読取装置の主要部の状態を説明する拡大図である。
【図７】従来の原稿画像読取装置の主要部の他の状態を説明する拡大図である。
【符号の説明】
【００１９】
０  原稿画像読取装置、
０ａ  筺体
１  原稿給送手段、
１ａ  原稿トレイ、
１ｂ  呼び出し、
１ｃ  分離ローラ、
１ｄ  給紙ローラ、
１ｅ  給送部原稿センサ
２  原稿画像面読取部
３  案内手段、
３ａ  前側ガイド、
３ｂ  原稿押さえ板、
３ｃ  後側ガイド
４  原稿台、
４ａ  原稿台本体、
４ａ１  回動軸、
４ｂ  外周面、
４ｂ１  読取り面、
４ｂ２  対向面、
４ｃ  原稿台本体駆動源、
４ｄ  清掃部材、
４ｅ  弾性体、
４ｆ  保持部材
５  原稿画像面読取手段、
５ａ  ＣＣＤ、
５ｂ  画像処理基板
６  光学ユニット、
６ａ  光源、
６１ａ１  反射板、
６ｂ  第１ミラー、
６ｃ  第２ミラー、
６ｄ  第３ミラー、
６ｅ  レンズ、
６ｆ  第１キャリッジ
７  排紙部、
７ａ  排紙ローラ、
７ｂ  排紙トレイ、
７ｃ  排紙部原稿センサ
８  載置用原稿台
９  白基準板
１０  警告表示手段
５０  画像形成装置
５１  像担持体、
５１ａ  表面
５２  帯電手段
５３  潜像形成手段
５４  現像手段
５５  転写手段
５６  定着手段
５７  排紙ローラ
５８  排紙トレイ
５９  クリーニング手段
６０  画像形成部
６１  給紙装置
１００  原稿画像読取装置、
１００ａ  筺体
１０１  原稿給送部、
１０１ａ  原稿トレイ、
１０１ｂ  呼び出しローラ、
１０１ｃ  分離ローラ、
１０１ｄ  給紙ローラ
１０２  原稿画像面読取部
１０３  案内手段、
１０３ａ  前側ガイド、
１０３ｂ  原稿押さえ板、
１０３ｃ  後側ガイド、
１０４  ＡＤＦ原稿ガラス
１０５  ＣＣＤ、
１０５ａ  画像処理基板
１０６  光学ユニット、
１０６ａ  光源、
１０６ｂ  第１ミラー、
１０６ｃ  第２ミラー、
１０６ｄ  第３ミラー、
１０６ｅ  レンズ
１０７  排紙部、
１０７ａ  排紙ローラ、
１０７ｂ  排紙トレイ
１０８  載置用の原稿ガラス
【図１】
2005167375.tif 000003
【図２】
2005167375.tif 000004
【図３】
2005167375.tif 000005
【図４】
2005167375.tif 000006
【図５】
2005167375.tif 000007
【図６】
2005167375.tif 000008
【図７】
2005167375.tif 000009